(57)【要約】      （修正有）【課題】多様な海洋生物による豊かな魚礁を構築可能な魚礁ブロックを提供する。【解決手段】魚礁ブロックは、箱型六面体の本体部１０と、本体部１０の側面から突出する支持脚２０を備え、本体部１０が型枠パネル１１とコンクリート１２を有し、コンクリート１２が型枠パネル１１の金網面１１ａの表面を一部被覆していることを特徴とする。この構造によれば、複雑な表面構造によって、多様性に富んだ豊かな魚礁を構築することができる。【選択図】図１
2019030250.tif 000002
【特許請求の範囲】
【請求項１】
魚礁ブロックであって、
箱型形状の六面体からなる本体部と、
前記本体部の少なくとも側面の４面から外側に突出する円管からなる複数の支持脚と、を備え、
前記本体部は、側面を構成する４枚の型枠パネルと、前記４枚の型枠パネルの内部に充填されているコンクリートと、を有し、
前記型枠パネルは、金網面を有し、  
前記コンクリートが前記金網面を通過して前記金網面の表面の一部を被覆していることを特徴とする、
魚礁ブロック。
【請求項２】
前記複数の支持脚が、前記本体部の６面の各面から突出することを特徴とする、請求項１に記載の魚礁ブロック。
【請求項３】
前記支持脚が、前記本体部の各面から賽の目状に４本ずつ突出していることを特徴とする、請求項１又は２に記載の魚礁ブロック。
【請求項４】
前記金網面がメタルラスからなることを特徴とする、請求項１乃至３のいずれか一項に記載の魚礁ブロック。
【請求項５】
前記金網面が表面に凹凸を備えることを特徴とする、請求項４に記載の魚礁ブロック。
【請求項６】
前記コンクリートが水中コンクリートであることを特徴とする、請求項１乃至５のいずれか一項に記載の魚礁ブロック。
【発明の詳細な説明】
【技術分野】
【０００１】
本発明は魚礁ブロックに関し、特に多様な海洋生物による豊かな魚礁を構築可能な魚礁ブロックに関する。
【背景技術】
【０００２】
魚礁ブロックは、海底に複数配置することで魚礁を構築するためのブロックである。
コンブなどの藻類は、魚類の餌料になるほか、魚類が卵を産み付ける産卵場としての役割や、海流の流れを緩和して遊泳力の弱い稚魚などを守る休憩場の役割、外敵から身を守る逃避場の役割などを提供する。
フジツボ類やカンザシゴカイ類などの一次付着生物は様々な種類の魚類の餌料となる。また、一次付着生物はエビやカニなどの二次付着生物の棲み場にもなり、これらが混在することで魚類の餌場を提供する。
魚礁ブロックの表面にこれら藻類や付着生物を付着させることで、魚類の繁殖を促す魚礁を構築することができる。
魚礁ブロックに関する従来技術として、特許文献１〜３には、型枠で製作するコンクリート製の魚礁ブロックが開示されている。これらの魚礁ブロックは、型枠内へコンクリートを打設し、養生した後に脱型して製作し、これを海中に吊り下ろして海底に配置する。
【先行技術文献】
【特許文献】
【０００３】
【特許文献１】特開２０１３‐１７４６２号公報
【特許文献２】特開２０１１‐２５０７４７号公報
【特許文献３】特開平９−２８２３０号公報
【発明の概要】
【発明が解決しようとする課題】
【０００４】
従来技術には次のような欠点があった。
＜１＞表面が平滑なコンクリート面のみからなるため植生環境の変化に乏しく、繁殖する海洋生物の種類が極めて限定される。よって、多様な生態系を実現することができない。
＜２＞平坦な底面で接地する構造であるため、起伏を有する海底では安定性が悪く、海流によって転倒・滑動するおそれがある。
＜３＞魚礁ブロックを連接配置して魚礁を形成するため、コンクリートの使用量が多く、材料コストが嵩む。
＜４＞コンクリートの脱型作業が必要であるため、施工効率が悪く施工コストが嵩む。
【課題を解決するための手段】
【０００５】
以上の課題を解決する本発明の魚礁ブロックは、箱型六面体の本体部と、本体部の側面から突出する支持脚を備え、本体部が型枠パネルとコンクリートを有し、コンクリートが型枠パネルの金網面の表面を一部被覆していることを特徴とする。
この構造によれば、複雑な表面構造によって、多様性に富んだ豊かな魚礁を構築することができる。
【０００６】
本発明の魚礁ブロックは、支持脚が本体部の六面から突出していてもよい。
この構造によれば、起伏の大きい海底でも本体部を安定して支持することができる。
【０００７】
本発明の魚礁ブロックは、支持脚が各面から賽の目状に４本ずつ突出していてもよい。
この構造によれば、安定性が高まりより転がりにくくなる。
【０００８】
本発明の魚礁ブロックは、金網面がメタルラスであってもよい。
この構造によれば、型枠パネルの表面積を増加し、藻類の種の付着率を高めることができる。
【０００９】
本発明の魚礁ブロックは、金網面が表面に凹凸を備えていてもよい。
この構造によれば、型枠パネルの表面積を増加し、藻類の種の付着率を高めることができる。
【００１０】
本発明の魚礁ブロックは、コンクリートが水中コンクリートであってもよい。
この構造によれば、海中で打設できるため、施工効率が非常に高い。
【００１１】
本発明の魚礁ブロックは、以上の構成を備えるため次の効果のうち少なくとも一つを備える。
＜１＞金網の露出部分とコンクリート被覆部分とが不整形に入り組み、表面が波打った複雑な構造によって、多様な海洋生物が繁殖可能な豊かな魚礁を構築することができる。
＜２＞金網が藻類の生長に必要な鉄イオンを溶出することで、藻類の繁殖を促すことができる。
＜３＞三脚支持構造によって、起伏の大きい海底でも安定して配置できる。
＜４＞支持脚間に大きな空ｍ３を確保できるため、材料の使用量が少なく、非常に安価に魚礁を構築することができる。
＜５＞型枠の脱型が必要ないため、施工効率がよく施工コストが安い。
【図面の簡単な説明】
【００１２】
【図１】本発明の魚礁ブロックの説明図。
【図２】本体部の説明図。
【図３】本発明の魚礁ブロックを用いた魚礁の説明図。
【図４】藻類及び付着生物の付着状態を示す図面代用写真。
【図５】実施例２の説明図。
【発明を実施するための形態】
【００１３】
以下、図面を参照しながら本発明の魚礁ブロックについて詳細に説明する。
なお、本発明において「コンクリート」とはモルタルを含む意味で使用する。
【実施例１】
【００１４】
[魚礁ブロック]
＜１＞全体の構成（図１）。
本発明の魚礁ブロック１は、魚礁を構築するためのブロックである。
魚礁ブロック１は、箱型形状の六面体からなる本体部１０と、六面各面から突出する複数の支持脚２０と、を備える。ここで箱型形状には、立方体と直方体を含む。
本例では、各支持脚２０が本体部１０の対向する二面を貫通する。  
【００１５】
＜２＞本体部（図２）。
本体部１０は、藻類や付着生物を付着し繁殖させるための部材である。
本体部１０は、側面を構成する４枚の型枠パネル１１と、その内部に充填されて固化したコンクリート１２と、を備える。なお、図２では説明の便宜上、コンクリート１２の打設途中の状態を表している。
本例では更に、対向する２枚の型枠パネル１１を内側から連結する補強材１３を備える。
補強材１３は、コンクリート１２の打設時に型枠パネル１１が外側に孕み出して変形することを防止するとともに、コンクリート１２の硬化後は本体部１０の補強部材となる。
【００１６】
＜２．１＞型枠パネル。
型枠パネル１１は、本体部１０の側面を構成する面状の捨て型枠である。
型枠パネル１１は、矩形の金網面１１ａと、金網面１１ａの変形を防止し、型枠パネル１１同士を連結するための枠体１１ｂを備える。
本例では、金網面１１ａとしてメタルラスを採用する。なお、金網面１１ａの素材はこれに限られず、溶接金網やクリンプ金網など、要はコンクリート１２の漏れを防げる程度の網目を有する金網構造であればよい。
本例では、金網面１１ａの表面に波打ったような緩やかな凹凸模様を設ける。
枠体１１ｂは、外周部に複数のボルト孔を有し、アングル材などを介して隣接する型枠パネル１１と相互にボルト連結可能である。
【００１７】
＜２．１．１＞型枠パネルの表面の構造。
本発明の型枠パネル１１は、打設時に金網面１１ａの網目から滲出したコンクリート１２が、金網面１１ａの表面を部分的に被覆した状態で硬化する。このため、金網面１１ａが露出した部分と、コンクリート１２に被覆された部分とが不整形に入り組み、表面が波打った複雑な構造を呈する。
露出した金網面１１ａは海中で腐食し、鉄粒子が鉄イオンとして僅かずつ海中に溶け出してゆく。鉄イオンは、藻類の生長を促すため、金網面１１ａの露出部には藻類が繁殖しやすい。
一方、コンクリート１２の被覆部には、不整形な表面形状を好むフジツボなどの付着生物が繁殖しやすい。
本発明の魚礁ブロック１は、以上のような複雑な表面構造によって、種類の異なる藻類と付着生物を混在して定着させ、これを餌料とする多様な魚類を集めることができる。
また、金網面１１ａの網目やコンクリート１２の滲出による小さな凹凸と、金網面１１ａの波打った表面形状による大きな凹凸の組合せによって、大きな表面積を確保し、藻類の種の付着率を高めることができる。
【００１８】
＜３＞支持脚。
支持脚２０は、本体部１０を支持して転倒・滑動を防ぐとともに、内部に魚類や甲殻類などの棲み場を提供する、管状の部材である。
本例では、支持脚２０として円形鋼管を採用し、本体部１０の六面各面において、支持脚２０を賽の目状に４本ずつ突出する。各面４本にすることで、隣り合う二面から突出する４本の支持脚２０でも姿勢保持できるため、より転がりにくい構造となる。
ただし、各面からの突出本数はこれに限られず、１本や９本など、他の本数であってもよい。
【００１９】
＜３．１＞支持脚の機能。
本発明の魚礁ブロック１は、六面体の各面から支持脚２０が突出する構造であるため、海底に斜めに配置することで三脚支持構造となり、起伏の大きい海底でも本体部１０を安定して支持することができる（図３）。
また、本体部１０の荷重を支持脚２０の先端で受けるため、支持脚２０の先端が海底の岩や砂の中に喰い込んでアンカーの役目をする。このため、海流による魚礁ブロック１の転倒や滑動を防ぐことができる。
さらに、魚礁ブロック１で構築した魚礁において、隣り合う魚礁ブロック１の支持脚２０同士が絡み合うことで、海流に対してより安定した構造となるとともに、支持脚２０に衝突した海流が乱流となることで、プランクトンの増殖を促し、魚類を引き寄せる要素となる。
加えて、絡み合った支持脚２０間に複雑な魚道が形成されることで、魚類の休憩場や逃避場としての機能を発揮することができる。
また、魚礁ブロック１の体積に比べて、支持脚２０間に確保される空ｍ３が大きいため、従来技術に比べて非常に安価に魚礁を構築することができる。
【００２０】
＜４＞魚礁ブロックの製作方法。
本発明の魚礁ブロック１は、以下の手順で製作することができる。
なお、ここでは魚礁ブロック１を陸上で製作する場合について説明する。製作後の魚礁ブロック１は、設置場所まで台船で搬送し、海底に吊り下ろして配置する。
（１）本体部１０を構成する各型枠パネル１１の金網面１１ａに支持脚２０連通用の穴を開ける。穴の位置は他の面の支持脚２０同士が干渉しないように互いにずらして設定する。
（２）４枚の型枠パネル１１を枠状に組んでアングル材とボルトなどを用いて相互に連結する。必要に応じて内部に補強材１３を掛け渡す。
（３）脚付きの架台を設置し、架台上に型枠用合板を設置する。型枠用合板には垂直方向の支持脚２０を通すための穴を設ける。
（４）組み上がった型枠パネル１１を型枠用合板の上に載せて、金網面１１ａと型枠用合板の各穴に支持脚２０を連通して仮固定する。
（５）型枠パネル１１内にコンクリートを打設し、バイブレータで締固めてから養生する。
なお、本手順は一例にすぎず、手順は施工の便宜に応じて適宜変更することができる。また、魚礁ブロック１を海中で製作する例については、実施例３で説明する。
【００２１】
＜５＞藻類と付着生物の付着状況（図４）。
図４は、本発明の魚礁ブロック１を海底に設置してから１年７か月後に引き上げた際の藻類及び付着生物の付着状態を示す図面代用写真である。
（ａ）コンクリート１２被覆部分に大量のフジツボが繁殖している。
（ｂ）金網面１１ａの露出部分にフクロノリの一種が付着している。
（ｃ）コンクリート１２被覆部分に複数種類の尾索動物の個体が付着している。
（ｄ）金網面１１ａの露出部分にカキが付着している。
（ｅ）コンクリート１２の天端部に多数のバフンウニが生息している。
（ｆ）支持脚２０内の上部に魚類の卵と思われる物質が付着している。
このほか、以下の状況が確認できた。
（ｇ）コンクリート１２の天端部にフクロノリの一種が付着していた。（ｈ）型枠パネル１１の枠体１１ｂに褐藻類（同定不可）が付着していた。（ｉ）コンクリート１２の天端部と金網面１１ａにガンガゼが生息していた。（ｊ）コンクリート１２の天端部と支持脚２０の内部にヒトデが生息していた。（ｋ）金網面１１ａの露出部分にサンゴが付着していた。（ｌ）コンクリート１２の天端部とコンクリート１２の被覆部にホタテ、真珠貝などの貝類が付着していた。
以上より、本発明の魚礁ブロック１が、高い藻類及び付着生物の付着機能を有することがわかる。
【実施例２】
【００２２】
[支持脚を側面にのみ設ける例]
実施例１では、支持脚２０を本体部１０の六面各面から突出させたが、これを側面４面のみから突出させてもよい（図５）。
この場合、本体部１０の底面を海底に接地させて配置する。
【実施例３】
【００２３】
[水中コンクリートを用いる例]
本例では、コンクリート１２を水中コンクリートとして、型枠パネル１１内への打設を水中で行う。
水中コンクリートは、水中における材料の分離を減らすため、セルロース、アクリルなどの増粘剤を用いて粘性を高くしたコンクリートである。
従来技術では、陸上で魚礁ブロックを製作してから台船で輸送し、海底に吊り込む作業が必要であった。
本例の場合、予め組み上げた型枠パネル１１と支持脚２０を水中に吊り下ろし、水中でコンクリート１２の打設・養生を行うため、打設してから搬送するまでの養生期間を圧縮でき、また、軽量の搬送で済むため、施工効率が非常に高い。
【符号の説明】
【００２４】
１      魚礁ブロック
１０    本体部
１１    型枠パネル
１１ａ  金網面
１１ｂ  枠体
１２    コンクリート
２０    支持脚
【図１】
2019030250.tif 000003
【図２】
2019030250.tif 000004
【図３】
2019030250.tif 000005
【図４】
2019030250.tif 000006
【図５】
2019030250.tif 000007